(57)【特許請求の範囲】
【請求項１】
Ｘ方向に延びる一対の辺と、Ｘ方向と直交するＹ方向に延びる一対の辺とで区画される平面形状が略矩形の布線台と、
布線台の上をＸ方向およびＹ方向に移動可能な布線装置と、
布線台のＸ方向に延びる一辺の縁部近傍の上方に設けられた回動支点と、
布線台の上記Ｘ方向に延びる一辺と対向する他辺側の上方に設けられ、上記布線装置のＸ方向の移動に連動して、当該他辺側上方を移動する移動支点と、
回動支点と移動支点間との間に連結され、布線台の表面より所定距離上方に配置された伸縮自在な竿状体と、
竿状体に設けられ、回動支点側から繰り出される布線用の導電線を竿状体沿いに案内して上記布線装置へと導くガイドと、を含むことを特徴とする布線機。
【請求項２】
請求項１記載の布線機において、
上記布線装置は、布線台のＸ方向の辺沿いに延びる一対のＸ方向レールと、布線台上をＹ方向に一端から他端まで延び、Ｘ方向レールに案内されてＸ方向に移動可能なＹ方向レールと、Ｙ方向レールに案内されてＹ方向に移動可能な布線ヘッドとを有し、
上記回動支点は、布線台の縁部近傍から上方に立ち上がった固定部材に配置されており、
上記移動支点は、Ｙ方向レールの一端に植立された柱状体に備えられていることを特徴とする布線機。
【請求項３】
請求項２記載の布線機において、
上記布線装置は、さらに、上記Ｙ方向レールの両端に植立された一対の柱状体と、その柱状体の上方部分同士を連結するＹ方向に延びる受止め棒と、上記布線ヘッドから上方に立ち上がり、上端に受部を有するアンテナとを有し、
上記ガイドから取り出される導電線は、受止め棒によって受け止められ、さらにアンテナの受部に受けられて布線ヘッドへと導かれることを特徴とする布線機。
【請求項４】
請求項１ないし３のいずれかに記載の布線機において、
上記竿状体は、一端が上記回動支点に連結された第１の竿と、一端が上記移動支点に連結された第２の竿とを有し、
第１の竿および第２の竿の各他端側同士は長さ方向に重複するように連結されていて、その重複部分の長さが可変可能にされており、
第１の竿に、上記ガイドが設けられていることを特徴とする布線機。
【発明の詳細な説明】
【０００１】
【発明の属する技術分野】
この発明は、布線装置に供給される導電線をフィルムに布線する布線機に関し、特に、強い張力を与えることのできない導電線の布線を行う布線機に関する。
【０００２】
【従来の技術】
ＯＡ機器、家電製品、自動車等の内部配線に用いるフレキシブル配線板の製造には、布線機が用いられる。
図１（ａ）に示すように、フレキシブル配線板は、ベースフィルムＢの上に導電線Ｗを布線して導電パターンを形成し、導電パターン上にカバーフィルムＣを貼り合わせたものである。
【０００３】
ベースフィルムＢは、図１（ｂ）に示すように、ＰＥＴ（ポリエチレンテレフタレート）のフィルム４１の上に、熱可塑性樹脂を主成分とするホットメルト接着剤４２および粘着剤４３が順に塗布された３層構造で構成されている。粘着剤によって構成された粘着層４３を保護するために、通常、ベースフィルムＢの粘着層４３は、離型紙４４で被覆されている。
【０００４】
導電線Ｗの布線時には、離型紙４４を剥がし、ベースフィルムＢの粘着層４３を露出させる。この粘着層４３の上に導電線Ｗが布線される。そして、布線された導電線Ｗ上にカバーフィルムＣが貼り合わされた後、周知の加熱装置にセットされ、フレキシブル配線板の一体的な接合が達成される。
図２に、フレキシブル配線板の製造に用いる従来の布線機を図解的に示す。導電線Ｗを布線する布線機５１は、ベースフィルムＢを載置することができる略矩形の布線台５２と、布線台５２に載置されたベースフィルムＢに対して導電線Ｗの布線を行う布線ヘッド５３とを有している。布線ヘッド５３は、布線台５２上を、互いに直交するＸ−Ｙ方向に移動可能とされている。布線機５１の作動時には、布線ヘッド５３が布線台５２の上をＸ−Ｙ方向に移動しながら、布線台５２に載置されたベースフィルムＢ上に導電線Ｗが布線される。
【０００５】
布線機５１には、布線台５２の側方（図２で示す奥側）に配置された導電線プール５４から導電線Ｗが供給される。フレキシブル配線板に用いられる導電線Ｗは薄肉でちぎれ易く、強い張力を与えることができないので、導電線プール５４から引き出された導電線Ｗは、給線アーム５５と布線ヘッド５３との間で弛んだ状態で架け渡されている。
【０００６】
ところで、弛んだ導電線Ｗが布線台５２に載置されたベースフィルムＢに接触すると、導電線Ｗが粘着層４３に付着してしまい、布線作業にトラブルが生じてしまう。
そこで、従来は、弛んだ導電線Ｗが粘着層４３に接触しないように、導電線Ｗは、背の高い給線アーム５５を介して、布線ヘッド５３へと繰り出されていた。
【０００７】
【発明が解決しようとする課題】
ところで、大型のフレキシブル配線板を製造するには、大型の布線台が用いられる。布線台が大型だと、給線アーム５５から布線ヘッド５３までの距離も長くなってしまい、弛んだ導電線ＷがベースフィルムＢの粘着層４３に付着してしまうおそれがある。
【０００８】
このため、導電線Ｗが粘着層に接触しないように、給線アーム５５の背をより高くすることも考えられるが、非常に背の高い給線アームが必要となり、実用に適さない。
この発明は、かかる背景のもとになされたもので、導電線を適切に供給できる布線機を提供することを目的とする。
【０００９】
【課題を解決するための手段および発明の効果】
上記の目的を達成するための請求項１記載の発明は、Ｘ方向に延びる一対の辺と、Ｘ方向と直交するＹ方向に延びる一対の辺とで区画される平面形状が略矩形の布線台と、布線台の上をＸ方向およびＹ方向に移動可能な布線装置と、布線台のＸ方向に延びる一辺の縁部近傍の上方に設けられた回動支点と、布線台の上記Ｘ方向に延びる一辺と対向する他辺側の上方に設けられ、上記布線装置のＸ方向の移動に連動して、当該他辺側上方を移動する移動支点と、回動支点と移動支点間との間に連結され、布線台の表面より所定距離上方に配置された伸縮自在な竿状体と、竿状体に設けられ、回動支点側から繰り出される布線用の導電線を竿状体沿いに案内して上記布線装置へと導くガイドと、を含むことを特徴とする布線機である。
【００１０】
請求項１記載の発明の構成によれば、布線装置のＸ方向への移動に連動して、回動支点との間で竿状体が架けられた移動支点が移動するために、竿状体も布線装置のＸ方向への移動に連動する。
すなわち、この布線装置のＸ方向への移動に連動する竿状体に導電線が案内されて導かれるので、導電線が架け渡される距離が長くならない。ゆえに、弛んだ導電線が布線台上に接触することはない。
【００１１】
このように、導電線の適切な供給を行うことができる布線機を提供することができる。
また、移動支点がＸ方向のどこにあっても、竿状体が伸縮自在なので、竿状体の長さが移動支点の移動を妨げない。
請求項２記載の布線機は、請求項１記載の布線機において、上記布線装置は、布線台のＸ方向の辺沿いに延びる一対のＸ方向レールと、布線台上をＹ方向に一端から他端まで延び、Ｘ方向レールに案内されてＸ方向に移動可能なＹ方向レールと、Ｙ方向レールに案内されてＹ方向に移動可能な布線ヘッドとを有し、上記回動支点は、布線台の縁部近傍から上方に立ち上がった固定部材に配置されており、上記移動支点は、Ｙ方向レールの一端に植立された柱状体に備えられていることを特徴とするものである。
【００１２】
請求項２記載の発明の構成によれば、移動支点はＹ方向レールに植立された柱状体に取り付けられているので、移動支点を、布線装置のＸ方向の移動に容易に連動させることができる。
請求項３記載の布線機は、請求項２記載の布線機において、上記布線装置は、さらに、上記Ｙ方向レールの両端に植立された一対の柱状体と、その柱状体の上方部分同士を連結するＹ方向に延びる受止め棒と、上記布線ヘッドから上方に立ち上がり、上端に受部を有するアンテナとを有し、上記ガイドから取り出される導電線は、受止め棒によって受け止められ、さらにアンテナの受部に受けられて布線ヘッドへと導かれることを特徴とするものである。
【００１３】
請求項３記載の発明の構成によれば、回動支点側から繰り出される導電線は、ガイドによって竿状体沿いに案内された後、Ｙ方向に延びた受止め棒に架け渡され、受部を介して布線ヘッドへと導かれる。
このため、布線ヘッドがＹ方向のどの位置にあっても、ガイドまで送られた導電線をスムーズに布線ヘッドに導くことができる。
【００１４】
請求項４記載の布線機は、請求項１ないし３のいずれかに記載の布線機において、上記竿状体は、一端が上記回動支点に連結された第１の竿と、一端が上記移動支点に連結された第２の竿とを有し、第１の竿および第２の竿の各他端側同士は長さ方向に重複するように連結されていて、その重複部分の長さが可変可能にされており、第１の竿に、上記ガイドが設けられていることを特徴とするものである。
【００１５】
請求項４記載の発明の構成によれば、伸縮自在な竿状体を簡単な構成で実現できる。
【００１６】
【発明の実施の形態】
以下には、図面を参照して、この発明の一実施形態について詳細に説明する。
図３は、この発明の一実施形態にかかるフレキシブル配線板の製造に用いる布線機の外観構成を示す平面図である。
布線機１は、ベースフィルムＢを載置することができる平面形状が略矩形の布線台２を備えている。この布線台２の寸法は、たとえば長さ３６００ｍｍ、幅１７００ｍｍとされており、たとえば長さ３５００ｍｍ、幅１６００ｍｍのベースフィルムＢが布線台２に載置される。なお、この明細書では、布線台２の長手方向をＸ方向、布線台２の幅方向をＹ方向として説明するものとする。Ｘ方向とＹ方向とは相互に直交する。
【００１７】
布線台２の下方には、一対の鋼材がたとえば１０００ｍｍの間隔を介して配置されて構成されたスライドレール３が備えられている。布線台２は、図示しないローラを介してスライドレール３上に載せられており、Ｘ方向に移動可能である。布線台２は、布線作業を行うことのできる実線で示す位置と、ベースフィルムＢの載置および取出しが容易な位置とにスライド可能である。なお、この発明は、布線台が移動しない布線台固定型の布線機にも適用することができる。
【００１８】
布線台２の表面には、空気を吸い込むための図示しない多数の空気吸込み孔（微細孔）が規則正しく配列形成されている。布線台２の下方には、その長手方向に延びた吸込管４Ａが取り付けられている。この吸込管４Ａはスライドレール３の側方に配置された吸引機４Ｂに接続されている。吸引機４Ｂが運転されると、布線台２の表面の空気吸込み孔から空気が吸い込まれ、布線台２上に載置されたベースフィルムＢは吸引されて、布線台２上で静止する。この静止状態で布線作業が行われる。
【００１９】
図４は、布線機の斜視図である。この図では、ベースフィルムＢを布線台２に載置した状態が示されている。
以下、図３および図４を参照して説明する。
布線台２の上方には、ベースフィルムＢに導電線Ｗを布線する布線ヘッド５が設けられている。布線ヘッド５は、Ｘ方向およびＹ方向に布線台２の上を移動可能とされている。
【００２０】
具体的には、布線台２の手前側および奥側に、布線台２に沿ってＸ方向に延びる一対のＸ方向レール６が配置されている。一対のＸ方向レール６には、布線台２上を、Ｙ方向に手前側端部２ａから奥側端部２ｂまで延びるＹ方向レール７が移動可能に保持されている。Ｙ方向レール７は、布線台２をまたいだ状態で、その両端がＸ方向レール６に取り付けられている。布線ヘッド５は、このＹ方向レール７上に備えられている。Ｙ方向レール７には、布線ヘッド５をＹ方向に移動させるために、たとえばボールねじ構造によって互いに結合されたＹ方向に延びるねじ軸と、そのねじ軸に螺合する雌ねじとが備えられている。
【００２１】
また、布線機１の周囲には、安全カバーＡが設けられている。この安全カバーＡは、図４に示すように、布線台２やＸ方向レール６を囲むように設けられたフレームを含んでいる。図３および図４では、説明の便宜上、安全カバーＡは二点鎖線で示されている。この安全カバーＡは床に固定され、布線台２の周縁近傍から上方に立ち上がっている。
【００２２】
また、安全カバーＡの手前側外側には、布線機１を操作するための操作パネル９（図３参照）が備えられている。
布線機１の奥側には、布線ヘッド５へ供給される導電線Ｗが巻回された導電線プール１０が配置されている。導電線プール１０には、導電線Ｗを布線機１内へと繰り出す給線アーム１１が備えられている。給線アーム１１の先端は安全カバーＡの奥側のフレームの間から布線機１内に臨んでいる。この給線アーム１１は、金属パイプを有しており、導電線Ｗは金属パイプ内を通って繰り出される。
【００２３】
ところで、フレキシブル配線板に用いられる導電線Ｗは薄肉でちぎれ易く、強い張力を与えることができない。よって導電線Ｗは、給線アーム１１の先端から布線ヘッド５までの間を、張力がほぼかからない状態で架け渡す必要がある。そのため、以下の構成を有する。
図４を参照して、布線台２の所定距離上方には、連結具１４によって相互に連結された第１の竿１５および第２の竿１６が設けられている。第１の竿１５と第２の竿１６とは、その一部が長さ方向に重複するように連結されている。
【００２４】
Ｙ方向レール７の手前側端部には、柱１７が植立されており、第１の竿１５および第２の竿１６は、安全カバーＡの奥側のフレームに配置された回動支点Ｄと柱１７の上端に設けられた移動支点Ｅとの間に架けられている。第１の竿１５の奥側端部が回動支点Ｄに連結され、第２の竿１６の手前側端部が移動支点Ｅに連結されている。
【００２５】
図５は、竿１５，１６に関する構成を説明するために示した、一部破断側面図である。図５を参照して、回動支点Ｄおよび移動支点Ｅについて説明する。
安全カバーＡの奥側のフレームには、断面略Ｌ字状の取付け金具２５が取り付けられている。回動支点Ｄは、取付け金具２５の上面２５ａに取り付けられた第１の回動軸２６を備えている。図４および図５に示すように回動支点Ｄが給線アーム１１の先端に近接して設けられており、導電線Ｗが回動支点Ｄの近くから繰り出される。
【００２６】
第１の竿１５の奥側端部には、上下に貫通する孔を備えた第１の回動部２７が形成されている。第１の回動部２７が第１の回動軸２６と嵌め合わされ、第１の竿１５が安全カバーＡのフレームに、水平方向に回動自在に保持される。
移動支点Ｅは、柱１７の上端に取り付けられた第２の回動軸２８を備えている。第２の竿１６の手前側端部には、その中心に上下に貫通する孔を備えた第２の回動部２９が形成されている。第２の回動部２９が第２の回動軸２８と嵌め合わされて、第２の竿１６は、柱１７に水平方向に回動自在に保持される。
【００２７】
このように、移動支点ＥがＹ方向レール７に植立された柱１７に取り付けられているので、移動支点Ｅは布線ヘッド５のＸ方向に連動して布線台２の上方を移動する。
図６は、図５を、切断線Ｂ−Ｂで切断したときの断面図である。図５および図６を参照して、連結具１４について説明する。
【００２８】
連結具１４は、周面が第２の竿１６の上面および下面と当接する一対のローラ３２，３３を備えている。一対のローラ３２，３３の両端面は、一対のカバー３６，３７によって覆われており、ローラ３２，３３は、両端がカバー３６，３７に取り付けられた回転軸３４，３５によって、回転自在に保持されている。こうして、第２の竿１６は連結具１４によって引出し可能に保持されている。
【００２９】
カバー３６，３７の下端近くには図示しないねじ孔が形成され、このねじ孔に両方の外側から止めねじ３８，３９が螺合されている。止めねじ３８，３９のねじ先３８ａ，３９ａが第１の竿１５に押し付けられて、連結具１４は第１の竿１５に固定されている。
Ｙ方向レール７のＸ方向の移動に連動して柱１７に備えられた移動支点Ｅが移動すると、一対のローラ３２，３３が回転し、第１の竿１５と第２の竿１６との重複長さがスムーズに変わる。
【００３０】
このように竿１５，１６全体の長さが伸縮自在となっており、また、上述のように第１の竿１５および第２の竿１６が水平方向に回動可能であるので、移動支点ＥがＸ方向のどこにあっても、竿１５，１６全体の長さが移動支点Ｅの移動を妨げない。
なお、第２の竿１６の下方に第１の竿１５が連結されるものとして説明したが、第１の竿１５の中に第２の竿１６が挿通される構成であってもよい。
【００３１】
図７は、布線機１の上方からみた第１の竿１５および第２の竿１６の回動の範囲を示す図である。図７では、説明の便宜上、第２の竿１６は第１の竿１５よりも太く示され、安全カバーＡは二点鎖線で示されている。図７に示す一点鎖線は、第１の竿１５の手前側端部の軌跡、並びに、Ｙ方向レール７を最も右端に移動させたときの第１の竿１５および第２の竿１６の位置を示している。
【００３２】
Ｙ方向レール７を最も左端に移動させたときには、第１の竿１５および第２の竿１６は、図７の実線で示す位置に位置する。この位置から、Ｙ方向レール７をＸ方向に布線台２の中央側へと移動させると、第１の竿１５と第２の竿１６の重複部分は長くなり、中央で最も大きくなる。また、布線台２の中央を超えて右側へと移動すると、第１の竿１５と第２の竿１６との重複部分は短くなる。第１の竿１５および第２の竿１６の回動範囲は約９０°となる。
【００３３】
図４および図５を参照して、第１の竿１５には、回動支点Ｄの近くから繰り出される布線用の導電線Ｗを第１の竿１５沿いに案内して布線ヘッド５へと導くガイド１９が複数（この実施形態では５個）配置されている。それぞれのガイド１９の間隔はほぼ等間隔にされている。ガイド１９は、たとえば金属製のリングであり、第１の竿１５の下面に取り付けられている。
【００３４】
一方、図４を参照して、Ｙ方向レール７の奥行き側端部には、柱１７に対向する柱１８が備えられている。柱１７と柱１８との間には、ガイド１９から取り出される導電線Ｗを受け止めるための一対の受止め棒２０が備えられている。この一対の受止め棒２０は、Ｙ方向に延びており、柱１７，１８の上方部分同士を連結するものである。
【００３５】
また、図８に示すように、布線ヘッド５には、上方に延びるアンテナ２２が立設されており、アンテナ２２の上端には、受止め棒２０によって受け止められた導電線Ｗをさらに受け止める受部２３が設けられている。
給線アーム１１の先端から繰り出され、複数のガイド１９を伝って第１の竿１５沿いに案内された導電線Ｗは、図８に示すように、一番手前側のガイド１９から一対の受止め棒２０の間に取り出され、下側の受止め棒２０に受け止められた後、アンテナ２２の受部２３に受けられて、布線ヘッド５へと導かれる。受止め棒２０はＹ方向に延びているので、布線ヘッド５がＹ方向のどの位置にあっても、ガイド１９からの導電線Ｗをスムーズに布線ヘッド５に導く。
【００３６】
上述のように、布線ヘッド５のＸ方向への移動と連動して、第１の竿１５および第２の竿１６が回動するので、ガイド１９と布線ヘッド５とを近づけることができ、導電線Ｗが架け渡される距離が長くならない。ゆえに、弛んだ導電線Ｗが布線台上のベースフィルムＢに接触することはない。
上述の説明では、受止め棒２０や受部２３を介して布線ヘッド５へと導かれるものとしたが、受止め棒２０や受部２３が介在せずに、ガイド１９を介した導電線Ｗが直接布線ヘッド５に導かれるものであってもよい。
【００３７】
その他、特許請求の範囲に記載された範囲内で種々の変更を施すことが可能である。
【図面の簡単な説明】
【図１】フレキシブル配線板およびベースフィルムの構成について説明するための断面図である。
【図２】従来の布線機の外観構成を示す斜視図である。
【図３】この発明の一実施形態にかかる布線機の外観構成を示す平面図である。
【図４】布線機の要部を示す斜視図である
【図５】竿に関する構成を説明するために示す一部破断側面図である。
【図６】図５を、切断線Ｂ−Ｂで切断したときの断面図である。
【図７】布線機の上方からみた第１の竿および第２の竿の回動を示す図である。
【図８】図４の左側から見た布線ヘッド近傍の構成を示す図である。
【符号の説明】
１  布線機
２  布線台
５  布線ヘッド
６  Ｘ方向レール
７  Ｙ方向レール
１５  第１の竿（竿状体）
１６  第２の竿（竿状体）
１７  柱（柱状体）
１８  柱（柱状体）
１９  ガイド
２０  受止め棒
２２  アンテナ
２３  受け部
Ａ  安全カバー（固定部材）
Ｄ  回動支点
Ｅ  移動支点
Ｗ  導電線
【図１】
0004213294.tif 000002
【図２】
0004213294.tif 000003
【図３】
0004213294.tif 000004
【図４】
0004213294.tif 000005
【図５】
0004213294.tif 000006
【図６】
0004213294.tif 000007
【図７】
0004213294.tif 000008
【図８】
0004213294.tif 000009